(57)【要約】【課題】通常は瞬時流量を計測できないものであっても、適切に瞬時流量を計測して出力可能な機械式タービン流量計の瞬時流量計測装置、及びそれを備えた機械式タービン流量計を提供する。【解決手段】アナログ表示部Ｈ１が、複数桁の流量を表示可能で、且つ複数桁の最小桁を固定指針Ｈｋに対して目盛が相対回転する回転表示部Ｈｍを有するものであり、回転表示部Ｈｍにおける固定指針Ｈｋと目盛との相対位置関係を経時的に連続して読み取る指針値読取部Ｃと、当該指針値読取部Ｃにて読み取られた相対位置関係に基づいてタービンロータ１４の瞬時流量を導出する瞬時流量導出部Ｓ１とを備える。【選択図】図１
2020153851.tif 000002
【特許請求の範囲】
【請求項１】
流体が通過する主流路内に回転自在に設けられ、流体の通過に伴って回転するタービンロータと、前記タービンロータの回転数に応じて機械的に処理された流体流量の積算値を表示するアナログ表示部とを有する機械式タービン流量計の瞬時流量計測装置であって、
前記アナログ表示部が、複数桁の流量を表示可能で、且つ前記複数桁の最小桁を固定指針に対して目盛が相対回転する回転表示部を有するものであり、
前記回転表示部における前記固定指針と前記目盛との相対位置関係を経時的に連続して読み取る指針値読取部と、当該指針値読取部にて読み取られた前記相対位置関係に基づいて前記タービンロータの瞬時流量を導出する瞬時流量導出部とを備える、機械式タービン流量計の瞬時流量計測装置。
【請求項２】
前記指針値読取部は、前記回転表示部の画像である表示部画像を経時的に連続して取得する画像取得機能部と、取得された前記表示部画像から前記目盛のうち前記固定指針の近傍に存在する特定目盛を抽出する特定目盛抽出機能部と、前記特定目盛抽出機能部にて抽出された前記特定目盛と前記固定指針との間の距離の単位時間当たりの変化量を前記相対位置関係として読み取る変化量読取機能部とを有し、
前記瞬時流量導出部は、前記変化量読取機能部にて読み取られた前記特定目盛と前記固定指針との間の距離の単位時間当たりの変化量に基づいて、前記瞬時流量を導出する請求項１に記載の機械式タービン流量計の瞬時流量計測装置。
【請求項３】
前記特定目盛抽出機能部は、前記固定指針に接近する目盛を前記特定目盛として抽出するものであり、且つ前記固定指針と前記特定目盛との距離が所定の第１距離未満となったときに、新たな前記特定目盛を抽出する請求項２に記載の機械式タービン流量計の瞬時流量計測装置。
【請求項４】
前記特定目盛抽出機能部は、前記固定指針から離間する目盛を前記特定目盛として抽出するものであり、且つ前記固定指針と前記特定目盛との距離が所定の第２距離を超えたときに、新たな前記特定目盛を抽出する請求項２に記載の機械式タービン流量計の瞬時流量計測装置。
【請求項５】
前記画像取得機能部にて取得された前記表示部画像を表示するモニタ部を備え、
前記モニタ部は、前記画像取得機能部にて取得された前記表示部画像の略中央部位に円弧形状の円弧状マーカを表示可能であり、
前記円弧状マーカを前記回転表示部に表示される複数の前記目盛に重畳するよう前記画像取得機能部を前記回転表示部に対して位置決めした状態で、前記画像取得機能部が前記表示部画像を取得する請求項２〜４の何れか一項に記載の機械式タービン流量計の瞬時流量計測装置。
【請求項６】
前記主流路における流体の通流方向で前記タービンロータの上流側部位と下流側部位とを接続するバイパス流路と、
前記バイパス流路において前記上流側部位から前記下流側部位への通常の通流方向へ通流する流体のバイパス流量を計測するバイパス流量計測部と、
前記瞬時流量導出部にて導出された瞬時流量と前記バイパス流量計測部にて計測されたバイパス流量とを比較して、前記瞬時流量導出部の計量性能を評価する計量性能評価部とを備える請求項１〜５の何れか一項に記載の機械式タービン流量計の瞬時流量計測装置。
【請求項７】
前記計量性能評価部にて適正であると評価された瞬時流量の積算値を導出する瞬時流量積算値導出部を備える請求項６に記載の機械式タービン流量計の瞬時流量計測装置。
【請求項８】
請求項１〜７の何れか一項に記載の瞬時流量計測装置を備えた機械式タービン流量計。
【発明の詳細な説明】
【技術分野】
【０００１】
本発明は、流体が通過する主流路内に回転自在に設けられ、流体の通過に伴って回転するタービンロータと、前記タービンロータの回転数に応じて機械的に処理された流体流量の積算値を表示するアナログ表示部とを有する機械式タービン流量計の瞬時流量計測装置、及びそれを備えた機械式タービン流量計に関する。
【背景技術】
【０００２】
従来、例えば、都市ガス等の流体の流量を測定するためのガス流量計として、流体の流路内に配設されたタービンロータの回転により、流体の流量を測定するタービン流量計が知られている（特許文献１を参照）。当該タービンロータは、流体の通流方向に対して所定角度で配設された複数の羽根により構成され、流体がタービンロータを通過する際のタービンロータの回転数から流体の流量を測定するものである。
【先行技術文献】
【特許文献】
【０００３】
【特許文献１】特開平４−１５８２２２号公報
【発明の概要】
【発明が解決しようとする課題】
【０００４】
上述したタービン流量計としては、電子式のもの（例えば電子式タービン流量計）が知られており、その内部にはマイコン基盤が搭載され、瞬時流量を取得できるようになっており、その取得した瞬時流量を用い、計量に関する調査などに活用している。一方、機械式のもの（例えば機械式タービン流量計）には、マイコン基盤が搭載されていないため、瞬時流量の取得が出来ない。
このため、機械式タービン流量計で計量に関する調査を行うためには、別の流量計を直列に設置して比較するしかなく、改善の余地があった。
【０００５】
本発明は、上述の課題に鑑みてなされたものであり、その目的は、通常は瞬時流量を計測できないものであっても、瞬時流量を解析可能にすることで異常の大小を事前に判断・スクリーニングでき、経済性を向上できる機械式タービン流量計の瞬時流量計測装置、及びそれを備えた機械式タービン流量計を提供する点にある。
【課題を解決するための手段】
【０００６】
上記目的を達成するための機械式タービン流量計の瞬時流量計測装置は、
流体が通過する主流路内に回転自在に設けられ、流体の通過に伴って回転するタービンロータと、前記タービンロータの回転数に応じて機械的に処理された流体流量の積算値を表示するアナログ表示部とを有する機械式タービン流量計の瞬時流量計測装置であって、その特徴構成は、
前記アナログ表示部が、複数桁の流量を表示可能で、且つ前記複数桁の最小桁を固定指針に対して目盛が相対回転する回転表示部を有するものであり、
前記回転表示部における前記固定指針と前記目盛との相対位置関係を経時的に連続して読み取る指針値読取部と、当該指針値読取部にて読み取られた前記相対位置関係に基づいて前記タービンロータの瞬時流量を導出する瞬時流量導出部とを備える点にある。
【０００７】
上記特徴構成によれば、例えば、流体の流量を表示する表示部としてアナログ表示部を有する機械式タービン流量計であっても、アナログ表示部の最少桁である回転表示部について、指針値読取部が固定指針と目盛との相対位置関係を経時的に連続して読み取ることで、瞬時流量導出部が相対位置関係に基づいてタービンロータの瞬時流量を導出するから、最小桁に指針値の動的変化として間接的に表される瞬間的な流量を読み取って、瞬時流量を知ることができる。
以上の機械式タービン流量計の瞬時流量計測装置を用いることにより、瞬時流量を解析可能にすることで異常の大小を事前に判断・スクリーニングでき、更には、従来の如く別の流量計を直列設置する必要がなくなり、別の流量計の費用や配管部材、工事費用等を軽減して経済性を向上できる。
【０００８】
機械式タービン流量計の瞬時流量計測装置の更なる特徴構成は、
前記指針値読取部は、前記回転表示部の画像である表示部画像を経時的に連続して取得する画像取得機能部と、取得された前記表示部画像から前記目盛のうち前記固定指針の近傍に存在する特定目盛を抽出する特定目盛抽出機能部と、前記特定目盛抽出機能部にて抽出された前記特定目盛と前記固定指針との間の距離の単位時間当たりの変化量を前記相対位置関係として読み取る変化量読取機能部とを有し、
前記瞬時流量導出部は、前記変化量読取機能部にて読み取られた前記特定目盛と前記固定指針との間の距離の単位時間当たりの変化量に基づいて、前記瞬時流量を導出する点にある。
【０００９】
固定指針に対して目盛が相対回転する回転表示部において、固定指針とその近傍の目盛である特定目盛との距離の単位時間当たりの変化量は、流体の流量の瞬時流量に対して比例関係にあるため、変化量読取機能部は当該変化量を読み取ると共に、瞬時流量導出部は、読み取った変化量に基づいて比較的精度良く瞬時流量を導出することができる。
【００１０】
機械式タービン流量計の瞬時流量計測装置としては、
前記特定目盛抽出機能部は、前記固定指針に接近する目盛を前記特定目盛として抽出するものであり、且つ前記固定指針と前記特定目盛との距離が所定の第１距離未満となったときに、新たな前記特定目盛を抽出することができる。
【００１１】
また、前記特定目盛抽出機能部は、前記固定指針から離間する目盛を前記特定目盛として抽出するものであり、且つ前記固定指針と前記特定目盛との距離が所定の第２距離を超えたときに、新たな前記特定目盛を抽出することができる。
【００１２】
上述の如く、特定目盛抽出機能部が、特定目盛を、固定指針と特定目盛との相対位置関係に基づいて切り替えることで、固定指針と目盛との距離の変化量が、流体の流量と適切な比例関係にあるときの目盛を特定目盛として順次選択していくから、それに基づいて導出する瞬時流量を、より精度良く導出できる。
【００１３】
機械式タービン流量計の瞬時流量計測装置の更なる特徴構成は、
前記画像取得機能部にて取得された前記表示部画像を表示するモニタ部を備え、
前記モニタ部は、前記画像取得機能部にて取得された前記表示部画像の略中央部位に円弧形状の円弧状マーカを表示可能であり、
前記円弧状マーカを前記回転表示部に表示される複数の前記目盛に重畳するよう前記画像取得機能部を前記回転表示部に対して位置決めした状態で、前記画像取得機能部が前記表示部画像を取得する点にある。
【００１４】
上述の如く、固定指針と特定目盛との相対位置関係に基づいて瞬時流量を導出する場合、表示部画像を取得する画像取得機能部を、回転表示部に対して適切に位置決めする必要がある。
上記特徴構成によれば、モニタ部に表示される円弧状マーカを回転表示部に表示される複数の目盛に重畳するよう画像取得機能部を前記回転表示部に対して位置決めした状態で、表示部画像を取得するから、画像取得機能部と回転表示部との位置関係が一定の関係に調整された状態で表示部画像を取得できるから、読み取りエラー等を生じさせることなく、当該表示部画像から相対位置関係を読み取って、瞬時流量を導出することができる。
【００１５】
機械式タービン流量計の瞬時流量計測装置の更なる特徴構成は、
前記主流路における流体の通流方向で前記タービンロータの上流側部位と下流側部位とを接続するバイパス流路と、
前記バイパス流路において前記上流側部位から前記下流側部位への通常の通流方向へ通流する流体のバイパス流量を計測するバイパス流量計測部と、
前記瞬時流量導出部にて導出された瞬時流量と前記バイパス流量計測部にて計測されたバイパス流量とを比較して、前記瞬時流量導出部の計量性能を評価する計量性能評価部とを備える点にある。
【００１６】
上記特徴構成の如く、計量性能評価部を有することで、例えば、急峻な流量変化が生じているとき等で過計量が発生している場合以外の流量を適正流量と評価する形で、計量性能を評価することができる。
【００１７】
機械式タービン流量計の瞬時流量計測装置の更なる特徴構成は、
前記計量性能評価部にて適正であると評価された瞬時流量の積算値を導出する瞬時流量積算値導出部を備える点にある。
【００１８】
上記特徴構成によれば、流量積算値をより実態に即した値として導出できる。
【００１９】
本願の権利範囲には、これまで説明してきた瞬時流量計測装置を備えた機械式タービン流量計も含まれる。
【図面の簡単な説明】
【００２０】
【図１】本発明の瞬時流量計測装置を備えた機械式タービン流量計に関する図
【図２】機械式タービン流量計の外観斜視図
【図３】瞬時流量計測装置を備えた機械式タービン流量計の外観斜視図
【図４】０Ｎｍ３／ｈと１００Ｎｍ３／ｈとで連続的に変動させた流量を、瞬時流量計測装置を備えた機械式タービン流量計にて計測した場合のグラフ図
【図５】０Ｎｍ３／ｈと１００Ｎｍ３／ｈとで連続的に変動させた流量を、電子式タービン流量計にて計測した場合のグラフ図
【図６】１００Ｎｍ３／ｈと１５０Ｎｍ３／ｈとで連続的に変動させた流量を、瞬時流量計測装置を備えた機械式タービン流量計にて計測した場合のグラフ図
【図７】１００Ｎｍ３／ｈと１５０Ｎｍ３／ｈとで連続的に変動させた流量を、電子式タービン流量計にて計測した場合のグラフ図
【発明を実施するための形態】
【００２１】
本発明の実施形態に係るタービン流量計の瞬時流量計測装置１００、及びそれを備えた機械式タービン流量計２００は、通常は瞬時流量を計測できないものであっても、瞬時流量を解析可能にすることで異常の大小を事前に判断・スクリーニングでき、経済性を向上できるものに関する。
以下、タービン流量計の瞬時流量計測装置１００、及びそれを備えた機械式タービン流量計２００について、図１〜３に基づいて説明する。
【００２２】
機械式タービン流量計２００は、図１に示すように、流体（例えば、都市ガス１３Ａ）が通流する主流路１７内に回転自在に設けられ流体の通過に伴って回転するタービンロータ１４と、当該タービンロータ１４の回転数を検出するピックアップ装置１６と、当該ピックアップ装置１６の検出結果を機械的に処理して導出された流体流量の積算値を表示するアナログ表示部Ｈ１とを有する。更に、主流路１７における流体の通流方向（図１で矢印Ｘの矢示方向）でタービンロータ１４の上流側部位と下流側部位とを接続するバイパス流路２０と、当該バイパス流路２０において上流側部位から下流側部位への通常の通流方向（図１で矢印Ｙに沿う方向）へ通流する流体のバイパス流量を計測する質量流量計２１（バイパス流量計測部の一例）が設けられている。
尚、アナログ表示部Ｈ１に表示される流体流量の積算値は、機械式タービン流量計２００の使用開始から現在までの流量積算値であるが、これに代えて、例えば、直近１ヵ月間などのように所定期間における流量積算値とすることもできる。
【００２３】
機械式タービン流量計２００は、図１に示すように、都市ガス１３Ａ等の流体が通流するガス配管（図示せず）に連通接続される主流路１７を内部に有する流量計本体１１を有する。当該流量計本体１１の主流路１７の内部には、流体の通流を許容しつつタービンロータ１４の固定軸１３を支持する支持体１２ａ、１２ｂが設けられ、当該固定軸１３に対してタービンロータ１４が回転自在に設けられている。
固定軸１３を回転軸とするタービンロータ１４には、複数の羽根１９が固定軸１３から放射状に延びる状態で、軸方向視で対称に設けられている。流体の通流方向において、複数の羽根１９が設けられる位置にはピックアップ装置１６が設けられており、当該ピックアップ装置１６は、タービンロータ１４の回転により羽根１９が近接する毎にタービンロータ１４の回転数に応じたパルス信号を出力する。ピックアップ装置１６が出力するパルス信号は、機械的に処理されてアナログ表示部Ｈ１に表示される。即ち、当該アナログ表示部Ｈ１に表示される流量積算値は、タービンロータ１４の回転に比例関係のある値であり、過計量が補正されていない非補正値である。
【００２４】
当該アナログ表示部Ｈ１について説明を追加すると、積算流量値（ｍ３）として、複数桁（図１では５ケタ）を表示可能に構成されており、小数点以上を表示する第１表示部Ｈ１ａと、最小桁の小数点以下第１位を固定指針Ｈｋに対して円形の目盛板Ｈｍに表示された目盛が相対回転する回転表示部Ｈ１ｂとから構成されている。
【００２５】
バイパス流路２０の流路直径は、主流路１７の流路直径に対して小径に構成されている。一例を示すと、バイパス流路２０の流路直径は、主流路１７の流路直径の１％以上１０％以下程度とすることができる。バイパス流路２０の流路直径をこのように設定することにより、バイパス流路２０を通流する流体の流量を、主流路１７を通流する流体の流量に対して略比例関係を持たせた状態とすることができる。更には、バイパス流路２０を通流する流体の流量を比較的小流量とでき、流量変化への応答速度の速い計器を、バイパス流量計測部として備えることができる。
当該実施形態では、バイパス流量計測部として質量流量計２１を備えており、当該質量流量計２１は、バイパス流路２０への流体の通流方向において、両端に熱電対２１ｂ、２１ｃを設けると共に、その間に熱線ヒータ２１ａを備えており、熱線ヒータ２１ａを作動させている状態で、熱電対２１ｂ、２１ｃによる温度差を計測することにより、バイパス流路２０を通流する流体の質量流量を計測する。当該質量流量計２１にて計測された流量に対応する信号は、後述する制御装置Ｓの計量性能評価部Ｓ２へ送信される。
【００２６】
さて、アナログ表示部Ｈ１は、上述したように、表示する流量が非補正値であると共に、積算値を表示するものであるから、その指針値から瞬時流量を知ることは難しく、更には、過計量を加味した補正値を知ることもできない。
そこで、以下では、このような機械式タービン流量計であっても、適切に瞬時流量を出力できると共に、過計量をも加味した補正値も出力可能な装置について説明を加える。
【００２７】
当該実施形態に係る機械式タービン流量計２００の瞬時流量計測装置１００は、回転表示部Ｈ１ｂにおける固定指針Ｈｋと目盛との相対位置関係を経時的に連続して読み取る指針値読取部Ｃと、当該指針値読取部Ｃにて読み取られた相対位置関係に基づいてタービンロータ１４を通過する流体の瞬時流量を導出する制御装置Ｓとしての瞬時流量導出部Ｓ１とを備えている。
説明を加えると、指針値読取部Ｃは、図１に示すように、回転表示部Ｈ１ｂの画像である表示部画像を経時的に連続して取得するカメラＣ１としての画像取得機能部と、取得された表示部画像から目盛のうち固定指針Ｈｋの近傍に存在する特定目盛Ｋｍを抽出する特定目盛抽出機能部Ｃ２と、特定目盛抽出機能部Ｃ２にて抽出された特定目盛Ｋｍと固定指針Ｈｋとの間の距離Ｌの単位時間当たりの変化量を位置関係として読み取る変化量読取機能部Ｃ３とを有し、瞬時流量導出部Ｓ１は、変化量読取機能部Ｃ３にて読み取られた特定目盛Ｋｍと固定指針Ｈｋとの間の距離Ｌの単位時間当たりの変化量に基づいて、瞬時流量を導出する。
特定目盛抽出機能部Ｃ２にて説明を追加すると、図１に示す後述のモニタ部Ｈ２に示されるように、固定指針Ｈｋに接近する最近接の目盛を特定目盛Ｋｍとして抽出するものであり、且つ固定指針Ｈｋと特定目盛Ｋｍとの距離が所定の第１距離未満（例えば零）となったときに、新たな特定目盛Ｋｍを抽出する制御を行う。これにより、特定目盛Ｋｍを連続的に切り替えて、瞬時流量の連続的な導出が可能となる。
【００２８】
尚、図示は省略するが、回転表示部Ｈ１ｂを照らすバックライト、カメラＣ１とバックライトと制御装置Ｓ等に電力を供給するバッテリー、カメラＣ１とバックライトと制御装置Ｓ等を外囲する筐体が設けられている。
【００２９】
上述の如く、指針値読取部Ｃが機能するためには、画像取得機能部としてのカメラＣ１が、回転表示部Ｈ１ｂの表示部画像を適切に取得するべく、図３に示すように、回転表示部Ｈ１ｂに対してカメラＣ１を適切に位置決めする位置決め固定治具Ｊが設けられている。
位置決め固定治具Ｊは、図２に示す機械式タービン流量計２００に対して、図３に示す状態でカメラＣ１を位置決め固定するものである。
当該位置決め固定治具Ｊは、アナログ表示部Ｈ１の回転表示部Ｈ１ｂの表示面と同程度の開口面積を有する窓部３３を有する基板３１と、当該基板３１を機械式タービン流量計２００に複数のボルトＢにより固定する環状フランジ部３０と、基板３１に基端が固定されると共に回転表示部Ｈ１ｂの表示面に直交する方向へ先端が伸びる腕部３２と、当該腕部３２の先端にて腕部３２の伸長方向に直交する第１方向に沿う位置調整自在な第１位置調整機構ＸＴと、腕部３２の伸長方向及び第１方向の双方に直交する第２方向に沿う位置調整自在な第２位置調整機構ＹＴと、第１位置調整機構ＸＴ及び第２位置調整機構ＹＴにて位置調整されるＬ字型治具Ｆにて固定される回転軸心Ｇと、当該回転軸心Ｇ周りで回動自在にカメラＣ１を固定する固定治具ＫＪとから構成されている。
第１位置調整機構ＸＴは、第１調整ツマミＸＴａを回転操作することにより第１方向での位置調整可能に構成され、第２位置調整機構ＹＴは、第２調整ツマミＹＴａを回転操作することにより第２方向での位置調整可能に構成され、固定治具ＫＪは、固定ハンドルＫＨを緩めることで回転軸心Ｇ周りでカメラＣ１を揺動移動可能に構成されている。
【００３０】
更に、瞬時流量計測装置１００として、カメラＣ１にて取得された表示部画像を表示するモニタ部Ｈ２を備え、当該モニタ部Ｈ２は、カメラＣ１にて取得された表示部画像の略中央部位に円弧形状の円弧状マーカＭを表示可能に構成されている。
操作者が、上述の位置決め固定治具Ｊを操作することにより、モニタ部Ｈ２に表示された円弧状マーカＭを、表示部画像上の回転表示部に表示される複数の目盛に重畳するよう配置することで、カメラＣ１の回転表示部Ｈ１ｂに対する位置決めを完了する。
【００３１】
以上の構成により、瞬時流量を導出できる機械式タービン流量計２００の瞬時流量計測装置１００が実現することになる。
さて、主流路１７を通流する流体の流量が急激に変化した場合、タービンロータ１４は慣性等により、流体の急激な変化に追従できず、流体の流量とタービンロータ１４の回転数とが比例関係でなくなる場合がある。この場合、制御装置Ｓの瞬時流量導出部Ｓ１にて導出される流量は、実流量と乖離する過計量が発生することになる。
そこで、当該実施形態に係る機械式タービン流量計２００にあっては、当該過計量を抑制するべく、以下のように構成されている。
制御装置Ｓは、瞬時流量導出部Ｓ１にて導出された瞬時流量と質量流量計２１にて計測されたバイパス流量（質量流量）とを比較して、瞬時流量導出部Ｓ１の計量性能を評価する計量性能評価部Ｓ２を備える。更に、計量性能評価部Ｓ２にて適正であると評価された瞬時流量の積算値を導出する瞬時流量積算値導出部Ｓ３を備える。そして、計量性能評価部Ｓ２にて適正であると評価された瞬時流量、及び瞬時流量積算値導出部Ｓ３にて導出された流量積算値が、図示しない記憶部に記憶されると共に、図示しない出力部に出力される。
【００３２】
尚、制御装置Ｓには、上述したように、特定目盛抽出機能部Ｃ２、変化量読取機能部Ｃ３、瞬時流量導出部Ｓ１、計量性能評価部Ｓ２及び瞬時流量積算値導出部Ｓ３の機能部位が設けられており、制御装置Ｓは、これらの機能を適切に発揮するべく、各種ＣＰＵやメモリ等のハードウェアとソフトウェアとが協働する形で備えられている。
【００３３】
〔実施例〕
次に、当該実施形態に係る瞬時流量計測装置を有する機械式タービン流量計を用いた計測結果（図４、６）を、一般に知られる電子式タービン流量計を用いた計測結果（図５、７）と比較する形で示す。
図４、５は、流量を０Ｎｍ３／ｈと１００Ｎｍ３／ｈとで連続的に切り替えて変動させた場合の計測結果であり、図６、７は、流量を１００Ｎｍ３／ｈと１５０Ｎｍ３／ｈとで連続的に切り替えて変動させた場合の計測結果である。より具体的には、低流量の時間が２５秒程度とし高流量の時間が６秒程度として連続した流量変化を計測している。
因みに、当該計測結果は、機械式タービン流量計に係る試験結果（図４、６）は、標準状態での値に換算した値を示しており、電子式タービン流量計に係る試験結果（図５、７）は、計測環境で計測された値を示している。また、両者のタービンの非補正指針値は、同一の計測環境においては、実質的には同一の過計量が生じるものである。
図４に示す機械式タービン流量計に係る試験結果では、過計量は１２．５７Ｎｍ３であり、図５に示す電子式タービン流量計に係る試験結果では、過計量は５．５１ｍ３（１３．７８Ｎｍ３）であり、略同程度の値を得られていることから、流量を０Ｎｍ３／ｈ程度と１００Ｎｍ３／ｈ程度との間で連続的に切り替える場合には、当該実施形態に係る試験結果（図４）が、電子式タービン流量計での試験結果（図５）と、略同等の精度で過計量を補正可能であると言える。
図６に示す機械式タービン流量計に係る試験結果では、過計量は２．３１Ｎｍ３であり、図７に示す電子式タービン流量計に係る試験結果では、過計量は０．５９ｍ３（１．４８Ｎｍ３）であり、略同程度の値を得られていることから、流量を１００Ｎｍ３／ｈ程度と１５０Ｎｍ３／ｈ程度との間で連続的に切り替える場合には、当該実施形態に係る試験結果（図６）が、電子式タービン流量計での試験結果（図７）と、略同等の精度で過計量を補正可能であると言える。
【００３４】
〔別実施形態〕
上記実施形態では、特定目盛抽出機能部Ｃ２には、固定指針Ｈｋに接近する最近接の目盛を特定目盛Ｋｍとして抽出するものである例を示したが、別の構成を採用しても構わない。
具体的には、特定目盛抽出機能部Ｃ２は、固定指針Ｈｋから離間する（離れていく）最近接の目盛を特定目盛Ｋｍとして抽出するものであり、且つ固定指針Ｈｋと特定目盛Ｋｍとの距離が所定の第２距離以上となったときに、新たな特定目盛Ｋｍを抽出する制御を行うものとしても構わない。
【００３５】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００３６】
本発明の瞬時流量計測装置、及びそれを備えた機械式タービン流量計は、通常は瞬時流量を計測できないものであっても、適切に瞬時流量を計測して出力可能な機械式タービン流量計の瞬時流量計測装置、及びそれを備えた機械式タービン流量計として、有効に利用可能である。
【符号の説明】
【００３７】
１４    ：タービンロータ
１７    ：主流路
２０    ：バイパス流路
２１    ：質量流量計
１００  ：瞬時流量計測装置
２００  ：機械式タービン流量計
Ｃ      ：指針値読取部
Ｃ１    ：カメラ
Ｃ２    ：特定目盛抽出機能部
Ｃ３    ：変化量読取機能部
Ｈ１    ：アナログ表示部
Ｈ１ｂ  ：回転表示部
Ｈ２    ：モニタ部
Ｈ１ａ  ：第１表示部
Ｈｋ    ：固定指針
Ｈｍ    ：目盛板
Ｋｍ    ：特定目盛
Ｌ      ：距離
Ｍ      ：円弧状マーカ
Ｓ１    ：瞬時流量導出部
Ｓ２    ：計量性能評価部
Ｓ３    ：瞬時流量積算値導出部
【図１】
2020153851.tif 000003
【図２】
2020153851.tif 000004
【図３】
2020153851.tif 000005
【図４】
2020153851.tif 000006
【図５】
2020153851.tif 000007
【図６】
2020153851.tif 000008
【図７】
2020153851.tif 000009